(57)【要約】【課題】店舗等の面積に関わらず、容易に適合可能な陳列装置を提供すること。【解決手段】本発明は、並んだ物品を陳列するための装置に関し、前記装置は、カウンター式の陳列部（２）と、前記陳列部の後表面に蝶番式に取り付けられた支持要素（１２）と、前記陳列部に関して、その第１及び第２の傾斜位置で、前記支持要素を係止するための係止手段と、を含む。支持要素（１２）は、完全に陳列部（２）の下で、前記第１の傾斜位置と第２の傾斜位置との間に配置されるように取り付けられる。【選択図】図１
2007515239.tif 000002
【特許請求の範囲】
【請求項１】
並んだ物品を陳列するための装置において、
並んだ物品を陳列するように設計される前面（３）を備える板（１４）とその前面の反対側に底端部（６ａ）を有する後面（４）とを含む陳列スタンド（２）と、
前記陳列スタンドの前記後面へ連結する手段（１３）によって蝶番式に取り付けられた少なくとも１つの支持脚部（１２）と、
前記支持脚部を前記陳列スタンドに対して第１の傾斜位置で係止するための係止手段と、を含み、
前記装置は、支持表面上に同時に静止している前記支持脚部（１２）と前記陳列スタンドの前記底端部（６ａ）とのみによって、安定な状態で前記第１の傾斜位置で立つように設計され、前記係止手段は、前記第１の傾斜位置とは異なる少なくとも１つの第２の傾斜位置で、前記陳列スタンドに対して前記支持脚部を係止するように設計され、前記装置は、前記支持表面上に同時に静止している前記支持脚部（１２）と前記陳列スタンドの前記底端部（６ａ）のみによって、安定な状態で第２の傾斜位置で立つように設計され、前記支持脚部（１２）は、全面的に前記陳列スタンド（２）の下で、第１と第２の傾斜位置の間に位置するように配置されることを特徴とする装置。
【請求項２】
前記第１の傾斜位置において、前記支持脚部（１２）と前記陳列スタンド（２）の前記後面とが、０°から１８０°まで変化可能な角度αで設置される請求項１記載の装置。
【請求項３】
前記角度αが３０°から１２０°まで変化する請求項２記載の装置。
【請求項４】
前記支持脚部（１２）は、前記陳列スタンドの前記後面（６）へ格納可能である請求項１から３のいずれか１項に記載の装置。
【請求項５】
前記支持脚部（１２）は、幅が前記陳列スタンド（２）の幅以下である基本的に平面のパネルを含む請求項１から４のいずれか１項に記載の装置。
【請求項６】
前記係止手段は、摩擦によって互いに作用する、前記陳列スタンドの前記後面の一部（１６、３０）と、前記支持脚部（１２）の一部（１７）と、を含む請求項１から５のいずれか１項に記載の装置。
【請求項７】
前記支持脚部（１２）と前記陳列スタンド（２）とは、前記支持脚部（１２）に連結された回転軸（１７）と、前記回転軸（１７）が回転可能に設計される前記陳列スタンド（２）の前記後面（４）の一部（１６）と、によって蝶番式に取り付けられ、前記回転軸（１７）は、前記板（１４）の厚み（ｗ６）内に形成される請求項１から６のいずれか１項に記載の装置。
【請求項８】
前記回転軸（１７）は複数の収納部（２６）を含み、前記係止手段は、
前記支持脚部（１２）に回転式に連結され、前記回転軸に関して固定位置と移動位置の間で摺動するように設計される少なくとも１つのロッド（１５）と、
前記ピンに連結され、選択的に１つの収納部と前記固定位置で噛み合い、前記収納部から前記移動位置で取り外されるように設計される少なくとも１つの歯（２８）と、を含む請求項７記載の装置。
【請求項９】
前記板（１４）はレリーフ部（１１）を有し、前記装置は、係止によって前記板の前記レリーフ部（１１）をはめ込む複数のレリーフ部（１０ａ）を有する少なくとも１つのサンプルホルダー（１０）を含む請求項１から８のいずれか１項に記載の装置。
【請求項１０】
磁気手段によって前記板（１４）に着脱可能に取り付けられる少なくとも１つのサンプルホルダー（１０）を含む請求項１から９のいずれか１項に記載の装置。
【請求項１１】
少なくとも１つのサンプルホルダー（１０）は、直角平行六面体の形状であり、幅がａで長さがｂであり、ｂはａの整数倍であり、前記板（１４）は、幅がＷで長さがＨの四角形の前面を有し、Ｗはｂの整数倍であり、Ｈはａの整数倍である請求項９または請求項１０に記載の装置。
【請求項１２】
少なくとも１つのサンプルホルダー（１０）は、前記幅ａの２倍にほぼ等しい長さｂを有する請求項１１記載の装置。
【請求項１３】
前記支持脚部は、前記陳列スタンドの前記後面に前記後面の中心点で蝶番式に取り付けられ、前記中心点から上端部（６ｂ）へ延びる陳列スタンドの上部と、前記中心点から前記底端部（６ａ）へ延びる陳列スタンドの下部と、前記支持脚部（１２）と、は、ほぼ等しい長さを有する請求項４から１２のいずれか１項に記載の装置。
【発明の詳細な説明】
【技術分野】
【０００１】
本発明は、並んだ物品を陳列するための装置に関する。
【０００２】
特に、本発明は並んだ物品を陳列するための装置であって、並んだ物品を陳列するように設計される前面を備える板とその前面の反対側に底端部を有する後面とを含む陳列スタンドと、前記陳列スタンドの前記後面へ連結する手段によって蝶番式に取り付けられた少なくとも１つの支持脚部と、前記支持脚部を、前記陳列スタンドに対して第１の傾斜位置で係止するための係止手段と、を含む装置に関し、前記装置は、支持表面上に同時に静止している前記陳列スタンドの前記支持脚部と前記底端部とのみによって、安定な状態で前記第１の傾斜位置で立つように設計されている。
【背景技術】
【０００３】
店舗において、並んだ物品を陳列するための装置は、例えば、特定のタイプの物品のいくつかの同一または類似のサンプルで構成される、陳列のための物品を並べるためにしばしば用いられる。多くの場合、これらの装置は、支持脚部上に取り付けられた陳列スタンドで構成され、該支持脚部は、展示スタンドの後部に対して平らに横たえられることが可能なように蝶番式に取り付けられるか、または適切な位置に広げられて、陳列スタンドがほぼ垂直に位置するように陳列スタンドの下部と三脚を形成する。この目的のために、支持脚部は、ほぼ垂直な位置でより良い安定性を付与するために多くの場合比較的長く、そして、ある程度後部まで延び、特に、奥行きがあまりない小店舗では、多くのスペースをとる。
【発明の開示】
【発明が解決しようとする課題】
【０００４】
これら周知の装置は、活動の自由をほとんど提供しない。なぜなら、使用者は一般にほぼ垂直に近い位置のみで装置を使うことができ、広さがそのような装置に適していない店舗に、装置を適合させることが容易にできないからである。そこですべての状況に容易に適合可能な陳列装置の必要性がある。
【０００５】
本発明の１つの特定の目的は、これらの問題を軽減することである。
【課題を解決するための手段】
【０００６】
この目的のため、本発明は、並んだ物品を陳列するために設計された装置を提供する。上に述べられた特徴に加えて、係止手段は、第１の傾斜位置とは異なる少なくとも１つの第２の傾斜位置で、陳列スタンドに対して支持脚部を係止するように設計される。また、本装置は、支持表面上に同時に静止している支持脚部と前記陳列スタンドの底端部とのみによって、安定な状態で第２の傾斜位置で立つように設計され、そして、前記支持脚部は、全面的に陳列スタンドの下で、第１と第２の傾斜位置の間に位置するように配置されることを基本的に特徴とする。
【０００７】
これらの配置によって、使用上の大きな自由が得られる。というのは、陳列スタンドの角度がどうであろうと、支持脚部は、陳列スタンドの上端面及び下端面から下ろした垂線の間に全面的に位置しているという事実によって、最小限にされている設置面積のおかげで、使用者は、活動の大きな自由を有するからである。
【０００８】
本発明の種々の好ましい実施の形態で、選択的に、使用者は以下の配置のいずれかを利用することもできる。
【０００９】
第１の傾斜位置において、支持脚部及び陳列スタンドの前記後面が、０°から１８０°まで変化可能な角度αで設置される。
【００１０】
前記角度αは３０°から１２０°まで変化する。
【００１１】
前記支持脚部は、陳列スタンドの後面へ格納可能である。
【００１２】
前記支持脚部は、幅が前記陳列スタンドの幅以下である基本的に平面のパネルを含む。
【００１３】
前記係止手段は、摩擦によって互いに作用する、前記陳列スタンドの前記後面の一部と、前記支持脚部の一部と、を含む。
【００１４】
前記支持脚部と前記陳列スタンドとは、前記支持脚部に連結された回転軸と、前記回転軸が回転可能に設計される前記陳列スタンドの前記後面の一部と、によって蝶番式に取り付けられ、前記回転軸は、前記板の厚み内に形成される。
【００１５】
回転軸は複数の収納部を含む。係止手段は、前記支持脚部に回転式に連結され、前記回転軸に関して固定位置と移動位置の間で摺動するように設計される少なくとも１つのピンと、前記ピンに連結され、選択的に収納部と前記固定位置で噛み合い、前記収納部から前記移動位置で取り外されるように設計される少なくとも１つの歯と、を含む。
【００１６】
前記板はレリーフ部を有し、前記装置は、係止によって前記板の前記レリーフ部をはめ込む複数のレリーフ部を有する少なくとも１つのサンプルホルダーを含む。
【００１７】
磁気手段によって前記板に着脱可能に取り付けられる少なくとも１つのサンプルホルダーを含む。
【００１８】
少なくとも１つのサンプルホルダーは、直角平行六面体の形状であり、幅がａで長さがｂであり、ｂはａの整数倍であり、前記板は、幅がＷで長さがＨの四角形の前面を有し、Ｗはｂの整数倍であり、Ｈはａの整数倍である。
【００１９】
少なくとも１つのサンプルホルダーは、前記幅ａの２倍にほぼ等しい長さｂを有する。
【００２０】
前記支持脚部は、前記陳列スタンドの前記後面に前記後面の中心点で蝶番式に取り付けられ、前記中心点から上端部へ延びる陳列スタンドの上部と、前記中心点から前記底端部へ延びる陳列スタンドの下部と、前記支持脚部と、は、ほぼ等しい長さを有する。
【発明を実施するための最良の形態】
【００２１】
本発明のその他の特長及び利点は、その実施の形態のうちの２つの以下の説明の過程で明らかになるであろう。その説明は、非限定的な実施例を用いて、添付図面を参照しながら行なわれる。
【００２２】
種々の図で、同様な参照番号は、同一または類似する要素を示す。
【００２３】
図１は、本発明による装置１を示す。その装置は、例えば、プラスチック、金属またはその他の材料で作られる板１４の形状をしている陳列スタンド２を含む。板１４は、幅Ｗ及び陳列高さＨにわたって広がる陳列面、即ち陳列のための物品が備えられるように設計された基本的に平面の陳列面３で構成される。陳列面３の反対側において、板１４は、上部５及び下部６で構成される後面４（図２）を有し、それらの寸法は、累計すると陳列高さＨにほぼ等しい。
【００２４】
第１の実施の形態で、図１において、前記板は、後面の上部で、ｗ５に等しい一般的に通常一定の厚みを有する。後面の下部で、前記板はｗ５よりも大きい、通常一定の厚みｗ６を有する。
【００２５】
陳列面３は、陳列のための物品を保持するように設計され、その物品は陳列面３上に直接載置されてもよい。検討される実施例で、物品はサンプルホルダー１０上に載置される。物品は、例えば、いくつかのユニットがサンプルホルダー上に配置可能なサイズのサンプルであってもよい。これらのサンプルは、例えば、在庫として保管される、より大量の物品の特徴を表わすことができる。このようにして、例えば、異なるタイプの口紅を表わすいくつかの印が、各サンプルホルダー上に配置されることが可能である。
【００２６】
サンプルは、例えば、サンプルホルダー１０に貼着される色の付いた円状のものでもよい。あるいは、サンプルホルダー１０は、段と列に配置され、サンプルを保持するように設計された小区画９を有してもよい。
【００２７】
サンプルホルダー１０は、例えば、直角平行六面体の形状であり、前面の長手方向の長さがｂで幅がａであり、例えば、幅ａは、図１に示されるような板１４の幅に合うように位置を合わせるか、または板１４の長さに合うように位置を合わせた長さを有するように配置されてもよい。
【００２８】
このサンプルホルダー１０は、製造の過程で板１４の陳列面３に堅く固定されるか、または、例えば、前記板上に着脱可能で交換可能に配置されてもよい。この目的のために、例えば、サンプルホルダー１０は、以下のような種々の公知の方法で固定されることが可能である。
【００２９】
・前記サンプルホルダーの下部の止め金具（図示せず）を、板１４の対応する開口部へ挿入する方法。
【００３０】
・サンプルホルダーまたは板１４或いはそれらの両方内に形成された磁石を用いる方法。これらの磁石は、それぞれ板１４またはサンプルホルダー１０或いはそれらの両方内に形成される対応する磁石または強磁性要素に作用する。
【００３１】
・これら２つの方法の組み合わせ、またはその他の方法。
【００３２】
前記装置は、長さがＬで、幅が陳列部の幅よりも小さいかほぼ等しく、厚みｗ１２がｗ６よりも小さい支持脚部１２を有する。
【００３３】
前記支持脚部は、連結機構１３によって陳列部の後面に連結される。１つの特定の実施の形態で、該連結機構は、陳列スタンドの後面４の中心点に置かれ、そして、支持脚部１２の長さは、陳列スタンドの高さの半分に等しい。
【００３４】
前記装置は、安定な状態で支持表面上の第１の傾斜位置に配置可能であり、その第１の傾斜位置で、支持脚部及び陳列スタンドは角度αを形成し、支持脚部及び陳列スタンドの底端部は支持表面上に静止して立つ。
【００３５】
角度αは少なくとも３０°と１２０°の間で広がることが可能であり、従って、非常に小さい占有面積の範囲内で前記装置の数多くの構成を可能にする。検討される実施例で、角度αは０°から１８０°まで広がることが可能である。これら２つの角度の間で、支持脚部１２は、陳列スタンドに対して、第１の傾斜位置とは異なる第２の傾斜位置で傾斜され、係止されることも可能である。
【００３６】
この目的のために、蝶番機構が図４に示される。とはいえ、同じ動きを可能にするその他のタイプの蝶番が、本発明の文脈内で用いられることも可能であろう。
【００３７】
回転軸１７は脚部１２に連結され、円筒状凹部１７ａを有し、その円筒形凹部内では、陳列スタンドの後面４の中央部１６の側端部３０が、使用者が動かして回転することが可能である。該側端部は、回転軸１７と相補的な形状である。使用者が、陳列スタンドまたは支持脚部１２に何も力を加えていない場合、この部品は、部品の間の単純な摩擦によって互いに対して係止される。
【００３８】
係止手段の変形では、固定位置と移動位置の間の中間位置で図５に示されるような係止機構が用いられる。
【００３９】
脚部１２に連結された回転軸１７は、回転の中心軸に沿って延びる円筒形貫通凹部１７ａと、回転軸に垂直な内部面１７ｂとを有する。回転軸１７は、その外部面に嵌め込まれる中空収納部２６を有する。
【００４０】
陳列スタンドの後面４の中央部１６もまた、この中央部の回転軸と位置合わせされた円筒形貫通凹部２４を有する。中央部１６には、例えば四角形など、円筒形でない断面のチャンバ２３も設けられている。
【００４１】
前記機構は、円筒形の押しボタン２１をも含む。押しボタン２１は、歯２８を有する。歯２８は、規則的な角度間隔で押しボタン２１の内部面２１ａ上に配置され、その形状が回転軸１７の外部面上の収納部２６と相補的であり、前記機構が固定位置にある場合にこれらの収納部に収納される。
【００４２】
押しボタン２１は、円筒形凹部１７ａ、２４内を摺動するように設計されるロッド１５上に取り付けられる。そのロッドは襟状部２２とも一体である。ロッドは圧縮バネ２０を有し、その第１の端部は襟状部２２と接触し、第２の端部は回転軸の内部面１７ｂと接触する。ロッドは、中央部１６のチャンバ２３の断面と相補的な断面の拡張された端部１９を有し、その拡張された端部はチャンバ２３の内部でロッド１５に平行に摺動する。
【００４３】
これらの配置によって、陳列スタンドに対するロッド１５の並進運動のみが許される。前記機構を作動させるため、押しボタン２１は、図５の左側に向かって操作する者によってバネ２０の圧力に逆らって動かされ、そして、歯２８が、回転軸に対応する収納部２６から出てくる。その後、回転軸１７及び脚部は、例えば、使用者によって調節された場合、陳列スタンドに対して自由に回転することができる。いったん望ましい角度に達すると、押しボタン２１を解除することによって、前記蝶番を再び固定することができ、押しボタン２１は、バネ２０によって固定位置へ戻される。
【００４４】
例えば図３Ａに示される位置のように、厳密に０°から１８０°の間に位置する蝶番機構のどの位置に関しても、支持脚部１２の底端部及び前記下部の底端部６ａは、陳列面及びサンプルホルダー１０上のサンプルを収容する陳列スタンドを支持する。
【００４５】
装置１は、完全に平坦に第１の伏臥位置で横たえられることも可能である。このためには支持脚部１２の接触表面１２ａが、前記後面の上部５に接触するだけでよい。前記後面の上部５は、支持脚部１２と相補的な形状の接触表面を形成する。これら２つの接触表面は、例えば、平面である。上部５と支持脚部１２の厚みであるそれぞれｗ５とｗ１２の和が、下部６の厚みｗ６にほぼ等しいことが特に構想されてもよい。
【００４６】
図３ｂに示されるように、前記装置は、装置の下部６上と支持脚部の支持表面１２ｂ上とに、接触表面１２ａの反対側で平面的に位置することが可能となる。すると、支持脚部１２及び回転軸１７は陳列スタンドの厚み内に収まる。
【００４７】
図２に示されるように第２の実施の形態で、上部は、下部及び支持脚部の厚みの和に等しい厚みを有する。連結機構は、支持脚部の支持表面１２ｂが陳列スタンドの下部６に接触するように設計され、接触表面１２ａ及び上部５は支持表面上に第２の伏臥位置で静止する。すると、支持脚部１２及び回転軸１７は、陳列スタンドの厚みの範囲内に収まる。
【００４８】
さらに別の変形で、支持脚部は陳列スタンドより幅が狭くてもよい。陳列スタンドの側面の厚みは上から下まで一定であり、後面の上部または下部は、その幅が脚部の幅に少なくとも等しく、その形状は、支持脚部に接触するように設計される脚部の表面の形状に相補的である。その結果、支持脚部は２つの伏臥位置のいずれかまたは両方で完全に格納されることが可能である。
【図面の簡単な説明】
【００４９】
【図１】本発明の第１の実施の形態を示す等角投影前面透視図である。
【図２】本発明の第２の実施の形態を示す等角投影後面透視図である。
【図３ａ】それぞれ異なる角度での、第１の実施の形態を示す側面図である。
【図３ｂ】それぞれ異なる角度での、第１の実施の形態を示す側面図である。
【図４】蝶番機構の部分断面図である。
【図５】本発明に関連して用いられる固定機構の１つの実施の形態を表す線図である。
【図１】
2007515239.tif 000003
【図２】
2007515239.tif 000004
【図３ａ】
2007515239.tif 000005
【図３ｂ】
2007515239.tif 000006
【図４】
2007515239.tif 000007
【図５】
2007515239.tif 000008
【国際調査報告】
2007515239.tif 000009
2007515239.tif 000010
2007515239.tif 000011
2007515239.tif 000012